(57)【要約】【解決手段】スタッキング及びネスティング可能な運搬容器Ｔにおいて、側壁２ｂに配設されたカード差し取付部材Ｕ１、Ｕ２に、カード差し部材Ｃ１〜Ｃ３の帯状板部ｃ１の下端部を取り付けるように構成したものである。【効果】側壁に配設されたカード差し取付部材に、カード差し部材の帯状板部の下端部を取り付けるように構成したので、上に位置する運搬容器のカード差し部材の下端部が、下に位置する運搬容器に当接し、カード差し部材が捲くれ上がり、ネスティングができなくなったり、また、カード差し部材が損傷するというようなことを防止することができる。【選択図】図３
2006111298.tif 000002
【特許請求の範囲】
【請求項１】
側壁に配設されたカード差し取付部材に、カード差し部材の帯状板部の下端部を取り付けるように構成したことを特徴とするスタッキング及びネスティング可能な運搬容器。
【請求項２】
前記カード差し部材の帯状板部に穿設された透孔に、前記カード差し取付部材の係止フックを挿入するとともに、前記カード差し部材の帯状板部の透孔の下方に位置する部分を、前記側壁に前記係止フックを配設することにより形成された嵌合凹部に挿入し、更に、前記カード差し取付部材の突起と前記カード差し部材の突起とが対峙するように構成したことを特徴とするスタッキング及びネスティング可能な請求項１に記載の運搬容器。
【請求項３】
前記側壁に、カードの下端が当接可能なカード落下防止用水平リブを形成したことを特徴とするスタッキング及びネスティング可能な請求項１又は請求項２に記載の運搬容器。
【請求項４】
カード差し部材を、水平状の嵌合部と該嵌合部の先端から略垂直に上方に延在する帯状板部とにより形成するとともに、前記カード差し部材の嵌合部が嵌合可能な嵌合凹部を、容器側に形成したことを特徴とするスタッキング及びネスティング可能な請求項１に記載の運搬容器。
【発明の詳細な説明】
【技術分野】
【０００１】
本発明は、カード差し部材が配設された、スタッキング及びネスティング可能な運搬容器に関するものである。
【背景技術】
【０００２】
従来、カード差しの上端部に形成された係止爪を、運搬用容器のフランジに形成された係止孔に係合させて、カード差しを吊り下げるように保持した運搬用容器が、一例として、特許文献１に開示されている。
【０００３】
【特許文献１】特開平６−１１５５５２号公報
【発明の開示】
【発明が解決しようとする課題】
【０００４】
上述した従来の運搬用容器は、カード差しの上端部に形成された係止爪を、運搬用容器のフランジに形成された係止孔に係合させて、カード差しを吊り下げるように保持したものであるために、カード差しの下端部が動きやすく、従って、運搬用容器の運搬途中で、カード差しが、他の物に引っ掛かり損傷したり、運搬用容器の搬送が阻害されたり、カード差しが、運搬用容器から外れる等の問題があった。
【０００５】
また、上に位置する運搬用容器が、下に位置する運搬用容器に嵌め込まれる、所謂、ネスティングされる場合に、上に位置する運搬用容器のカード差しの下端部が、下に位置する運搬用容器に当接し、カード差しが捲くれ上がり、ネスティングができないという問題があった。
【０００６】
本発明の目的は、上述した従来の運搬用容器が有する課題を解決することにある。
【課題を解決するための手段】
【０００７】
本発明は、上述した目的を達成するために、スタッキング及びネスティング可能な運搬容器において、第１には、側壁に配設されたカード差し取付部材に、カード差し部材の帯状板部の下端部を取り付けるように構成したものであり、第２には、前記カード差し部材の帯状板部に穿設された透孔に、前記カード差し取付部材の係止フックを挿入するとともに、前記カード差し部材の帯状板部の透孔の下方に位置する部分を、前記側壁に前記係止フックを配設することにより形成された嵌合凹部に挿入し、更に、前記カード差し取付部材の突起と前記カード差し部材の突起とが対峙するように構成したものであり、第３には、前記側壁に、カードの下端が当接可能なカード落下防止用水平リブを形成したものであり、第４には、カード差し部材を、水平状の嵌合部と該嵌合部の先端から略垂直に上方に延在する帯状板部とにより形成するとともに、前記カード差し部材の嵌合部が嵌合可能な嵌合凹部を、容器側に形成したものである。
【発明の効果】
【０００８】
側壁に配設されたカード差し取付部材に、カード差し部材の帯状板部の下端部を取り付けるように構成したので、上に位置する運搬容器のカード差し部材の下端部が、下に位置する運搬容器に当接し、カード差し部材が捲くれ上がり、ネスティングができなくなったり、また、カード差し部材が損傷するというようなことを防止することができる。
【０００９】
カード差し部材の帯状板部に穿設された透孔に、カード差し取付部材の係止フックを挿入するとともに、カード差し部材の帯状板部の透孔の下方に位置する部分を、側壁に係止フックを配設することにより形成された嵌合凹部に挿入し、更に、カード差し取付部材の突起とカード差し部材の突起とが対峙するように構成したので、カード差し部材の移動を制限することができ、従って、カード差し部材と側壁とにより挟持されたカードの移動やカードの運搬容器からの脱落を防止することができる。
【００１０】
側壁に、カードの下端が当接可能なカード落下防止用水平リブを形成したので、帯状板部から外れたカードの傾斜や、カードのカード差し部材からの脱落を防止することができる。
【００１１】
カード差し部材を、水平状の嵌合部と該嵌合部の先端から略垂直に上方に延在する帯状板部とにより形成するとともに、カード差し部材の嵌合部が嵌合可能な嵌合凹部を、容器側に形成したので、上に位置する運搬容器のカード差し部材の下端部が、下に位置する運搬容器に当接し、カード差し部材が捲くれ上がり、ネスティングができなくなったり、また、カード差し部材が損傷するというようなことを防止することができる。
【実施例】
【００１２】
以下に、本発明の実施例について説明するが、本発明の趣旨を越えない限り、何ら、本実施例に限定されるものではない。
【００１３】
先ず最初に、図１及び図２を用いて、一例としてのネスティング及びスタッキング可能な運搬用容器（以下、単に、容器とも言う。）Ｔについて説明する。
【００１４】
容器Ｔは、底部１、外側にやや傾斜した相対する長辺側の側壁２ａ、２ｂ（以下、単に、「長側壁」という。）、及び、外側にやや傾斜した相対する短辺側の側壁２ｃ、２ｄ（以下、単に、「短側壁」という。）とから構成されている。３は、容器Ｔの開口部を取り囲むように、長側壁２ａ、２ｂ及び短側壁２ｃ、２ｄの上端から外側水平方向に延設されたフランジ３である。４ａは、フランジ３の下方で、フランジ３付近に形成された上部水平リブである、４ｂは、フランジ３と上部水平リブ４ａを、適宜、連結する垂直リブである。
【００１５】
ｐ１は、フランジ３から底部１に向かって、長側壁２ａ、２ｂの一方の相対する隅部寄りの内面に形成された縦長の凹部からなるポケットであり、容器Ｔの略半分の深さを有している。ｈ１は、ポケットｐ１と適当な間隙を置いて或いはポケットｐ１に隣接して、ポケットｐ１より、容器Ｔの中央部寄りの長側壁２ａ、２ｂの外面に形成された支脚であり、支脚ｈ１は、上部水平リブ４ａから底部１付近まで延びるように形成されている。上記のポケットｐ１の内幅は、上記の支脚ｈ１の外幅より広く形成されている。以下、このような、幅広のポケットｐ１と幅狭の支脚ｈ１との組み合わせを幅広ポケット・支脚部Ｓ１と称する。
【００１６】
ｈ２は、長側壁２ａ、２ｂのもう一方の相対する隅部寄りの外面に形成された、上述した支脚ｈ１より、幅広の支脚であり、支脚ｈ２も、上部水平リブ４ａから底部１付近まで延びるように形成されている。ｐ２は、支脚ｈ２と適当な間隙を置いて或いは支脚ｈ２に隣接して、支脚ｈ２より、容器Ｔの中央部寄りの長側壁２ａ、２ｂの内面に形成された縦長の凹部からなるポケットであり、容器Ｔの略半分の深さを有している。該ポケットｐ２は、幅広ポケット・支脚部Ｓ１のポケットｐ１の内幅より狭い内幅を有しており、支脚ｈ２の外幅は、幅広ポケット・支脚部Ｓ１の支脚ｈ１の外幅より広く形成されている。以下、このような、幅広の支脚ｈ２と幅狭のポケットｐ２との組み合わせを幅広支脚・ポケット部Ｓ２と称する。なお、支脚ｈ１、ｈ２の下面には、突起ｈ１’、ｈ２’が延設されており、この突起ｈ１’、ｈ２’は、スタッキングの際に、下に位置する容器Ｔ内に挿入され、上に位置する容器Ｔの横移動を少なくするような機能を有するものであり、一般に、寄せリブと称せられている。
【００１７】
幅広ポケット・支脚部Ｓ１の幅狭の支脚ｈ１の外幅は、幅広支脚・ポケット部Ｓ２の幅狭のポケットｐ２の内幅より狭く形成されており、従って、ネスティングの際には、幅広ポケット・支脚部Ｓ１の幅狭の支脚ｈ１が、幅広支脚・ポケット部Ｓ２の幅狭のポケットｐ２に挿入できるように構成されている。また、幅広支脚・ポケット部Ｓ２の幅広の支脚ｈ２の外幅は、幅広ポケット・支脚部Ｓ１の幅広ポケットｐ１の内幅より狭く形成されており、従って、ネスティングの際には、幅広支脚・ポケット部Ｓ２の幅広の支脚ｈ２が、幅広ポケット・支脚部Ｓ１の幅広のポケットｐ１に挿入できるように構成されている。
【００１８】
相対する短側壁２ｃ、２ｄのうち一方の短側壁２ｃの外面の隅部付近には、一対の支脚ｈ３が、上部水平リブ４ａから底部１付近まで延びるように形成されており、また、支脚ｈ３と適当な間隙を置いて或いは支脚ｈ３に隣接して、支脚ｈ３より、容器Ｔの中央部寄りの短側壁２ｃの内面には、容器Ｔの略半分の深さを有するポケットｐ３が形成されている。同様に、相対する短側壁２ｃ、２ｄのうちもう一方の短側壁２ｄの内面の隅部付近には、容器Ｔの略半分の深さを有する一対の上記ポケットｐ３と同じポケットｐ３が形成されており、また、ポケットｐ３と適当な間隙を置いて或いはポケットｐ３に隣接して、ポケットｐ３より、容器Ｔの中央部寄りの短側壁２ｄの外面には、一対の上記支脚ｈ３と同じ支脚ｈ３が、上部水平リブ４ａから底部１付近まで延びるように形成されている。そして、支脚ｈ３の外幅は、ポケットｐ３の内幅より狭く構成されている。なお、支脚ｈ３にも、上述した支脚ｈ１、ｈ２と同様に、寄せリブｈ３’が形成されている。一方の短側壁２ｃの外面に形成された支脚ｈ３は、もう一方の短側壁２ｄの内面に形成されたポケットｐ３と、互いに対向するように配置されており、また、一方の短側壁２ｃの内面に形成されたポケットｐ３は、もう一方の短側壁２ｄの外面に形成された支脚ｃ３と、互いに対向するように配置されている。
【００１９】
そして、下に位置する容器Ｔと上に位置する容器Ｔとが、同じ向きになるように、即ち、下に位置する容器Ｔの幅広ポケット・支脚部Ｓ１の上方に、上に位置する容器Ｔの幅広ポケット・支脚部Ｓ１が位置し、また、下に位置する容器Ｔの幅広支脚・ポケット部Ｓ２の上方に、上に位置する容器Ｔの幅広支脚・ポケット部Ｓ２が位置するように、容器Ｔを積み重ねると、上に位置する容器Ｔの合計８本の支脚ｈ１、ｈ２、ｈ３が、下に位置する容器Ｔのフランジ３に載置されるので、下に位置する容器Ｔの上に、上に位置する容器Ｔがスタッキングされることになる。
【００２０】
また、スタッキング状態から、上に位置する容器Ｔを、平面的に、１８０度回転させて、下に位置する容器Ｔと上に位置する容器Ｔとが、異なる向きになるように、即ち、下に位置する容器Ｔの幅広ポケット・支脚部Ｓ１の上方に、上に位置する容器Ｔの幅広支脚・ポケット部Ｓ２が位置し、また、下に位置する容器Ｔの幅広支脚・ポケット部Ｓ２の上方に、上に位置する容器Ｔの幅広ポケット・支脚部Ｓ１が位置するように配置すると、下に位置する容器Ｔの幅広ポケット・支脚部Ｓ１の幅広のポケットｐ１に、上に位置する容器Ｔの幅広支脚・ポケット部Ｓ２の幅広の支脚ｈ２が、また、下に位置する容器Ｔの幅広支脚・ポケット部Ｓ２の幅狭のポケットｐ２に、上に位置する容器Ｔの幅広ポケット・支脚部Ｓ１の幅狭の支脚ｈ１が、それぞれ挿入されることになり、更に、下に位置する容器Ｔの短側壁２ｃのポケットｐ３に、上に位置する容器Ｔの短側壁２ｄの支脚ｈ３が、更にまた、下に位置する容器Ｔの短側壁２ｄのポケットｐ３に、上に位置する容器Ｔの短側壁２ｃの支脚ｈ３が、それぞれ挿入されることになり、従って、上に位置する容器Ｔの略半分が、下に位置する容器Ｔの内部に嵌め込まれてネスティングされることになる。このようなネスティング状態においては、上に位置する容器Ｔのポケットｐ１、ｐ２、ｐ３の下端面が、下に位置する容器Ｔのフランジ３上に載置されるように構成されている。
【００２１】
上述したように、ネスティングされた際には、幅広のポケットｐ１に挿入された幅広の支脚ｈ２の寄せリブｈ２’が、幅広のポケットｐ１の底面ｐ１’に載置され、また、幅狭のポケットｐ２に挿入された幅狭の支脚ｈ１の寄せリブｈ１’が、幅狭のポケットｐ２の底面ｐ２’に載置され、更に、短側壁２ｃ、２ｄのポケットｐ３に挿入された短側壁２ｃ、２ｄの支脚ｈ３の寄せリブｈ３’が、前記ポケットｐ３の底面ｐ３’に載置されるように構成されている。
【００２２】
なお、上述した、長側壁２ａ、２ｂに配設された幅広ポケット・支脚部Ｓ１及び幅広支脚・ポケット部Ｓ２の配置、更には、短側壁２ｃ、２ｄに配設されたポケットｐ３と支脚ｈ３の配置は、上述した配置に限定されるものではなく、下に位置する容器Ｔと上に位置する容器Ｔとが、同じ向きに積み重ねられた際には、下に位置する容器Ｔの開口部に形成されたフランジ上に、上に位置する容器Ｔの支脚が載置されて、上に位置する容器Ｔが、下に位置する容器Ｔに嵌め込まれないように積み重ねられる、所謂、スタッキングされ、また、スタッキング状態から、上に位置する容器Ｔを、平面的に、１８０度回転させることにより、上に位置する容器Ｔの支脚が、下に位置する容器Ｔのポケットに挿入されて、上に位置する容器Ｔが、下に位置する容器Ｔに嵌め込まれる、所謂、ネスティングされるような配置であればどのような配置でもよい。更に、短側壁２ｃ、２ｄに配設されたポケットｐ３と支脚ｈ３を省略し、長側壁２ａ、２ｂのみに、幅広ポケット・支脚部Ｓ１及び幅広支脚・ポケット部Ｓ２を配設することもできるし、更にまた、長側壁２ａ、２ｂに配設された幅広ポケット・支脚部Ｓ１及び幅広支脚・ポケット部Ｓ２を省略し、短側壁２ｃ、２ｄのみに、ポケットｐ３と支脚ｈ３を配設することもきる。
【００２３】
次に、図１及び図３を用いて、容器Ｔの長側壁２ａ、２ｂのうち、一方の長側壁２ｂに配設されたカード差し取付部材Ｕ１について説明する。
【００２４】
ｕ１は、長側壁２ｂの外面の下端部に突設された係止フックであり、係止フックｕ１は、長側壁２ｂの外面に対して略垂直な水平部ｕ１ａと、水平部ｕ１ａの先端に、長側壁２ｂの外面と略平行に垂下された垂直部ｕ１ｂとから構成されている。そして、長側壁２ｂの外面に係止フックｕ１を形成することにより、長側壁２ｂの外面と係止フックｕ１の水平部ｕ１ａと係止フックｕ１の垂直部ｕ１ｂとにより区画された嵌合凹部ｕ１ｃが形成されている。
【００２５】
係止フックｕ１の下方に位置する長側壁２ｂの外面には、係止フックｕ１の中心垂線に対して線対称の位置に、且つ、係止フックｕ１と所定の間隙を置いて、一対の係止突起ｕ２が突設されている。
【００２６】
上述した係止フックｕ１と一対の係止突起ｕ２とによりカード差し取付部材Ｕ１が構成されており、カード差し取付部材Ｕ１は、所定の間隔を置いて、水平方向に複数個、並設されている。なお、本実施例には、一対のカード差し取付部材Ｕ１が並設されている例が示されている。
【００２７】
ｕ３は、カード落下防止用水平リブであり、長側壁２ｂの外面に配設されたカード差し取付部材Ｕ１の間に形成されており、カード落下防止用水平リブｕ３の上面とカード差し取付部材Ｕ１を構成する係止フックｕ１の水平部ｕ１ａの上面とが、略面一になるように構成されている。なお、本実施例においては、カード差し取付部材Ｕ１と長側壁２ｂに形成された支脚ｈ２との間及びカード差し取付部材Ｕ１と長側壁２ｂに形成された支脚ｈ１との間にも、カード落下防止用水平リブｕ３が形成されている例が示されている。カード落下防止用水平リブｕ３は、必ずしも必要ではなく、必要に応じて適宜、配設することができる。
【００２８】
次に、図３を用いて、カード差し部材Ｃ１について説明する。
【００２９】
カード差し部材Ｃ１は、縦長の帯状板材からなる弾性変形可能な帯状板部ｃ１と、帯状板部ｃ１の相対する側面ｃ１ａの下端部に突設された側部突起ｃ２とを有している。また、側部突起ｃ２が突設されている帯状板部ｃ１付近には、正面形状が方形状の透孔ｃ３が穿設されており、透孔ｃ３には、上述した長側壁２ｂの外面に配設されたカード差し取付部材Ｕ１を構成する係止フックｕ１が挿入可能なように構成されている。透孔ｃ３付近の帯状板部ｃ１の厚さは、長側壁２ｂに係止フックｕ１を配設することにより形成された嵌合凹部ｕ１ｃの奥行幅（長側壁２ｂの外面と、垂直部ｕ１ｂの長側壁２ｂの外面と対向する面との間隔）と同じか、或いは、奥行幅より、若干、薄く形成されている。
【００３０】
また、カード差し部材Ｃ１の帯状板部ｃ１の横幅Ｗ１は、長側壁２ｂの外面に配設されたカード差し取付部材Ｕ１を構成する一対の係止突起ｕ２の間隔Ｄ１と略同じか、若干、狭く形成されており、帯状板部ｃ１が、一対の係止突起ｕ２間に挿入可能なように構成されている。更に、帯状板部ｃ１の上端部には、傾斜部ｃ１ｂが形成されている。なお、ｃ４は、透孔ｃ３を挟むように、且つ、帯状板部ｃ１の垂直縁に沿って形成された垂直リブであり、本実施例においては、側部突起ｃ２の厚さは、帯状板部ｃ１の厚さと垂直リブｃ４の厚さを足した厚さに形成されている。
【００３１】
次に、図３〜図５を用いて、長側壁２ｂへのカード差し部材Ｃ１の取り付けについて説明する。
【００３２】
カード差し部材Ｃ１の帯状板部ｃ１に穿設された透孔ｃ３の略上半分に、長側壁２ｂの外面に配設されたカード差し取付部材Ｕ１の係止フックｕ１が位置するとともに、カード差し取付部材Ｕ１の一対の係止突起ｕ２に、カード差し部材Ｃ１の一対の側部突起ｃ２が当接するように、カード差し部材Ｃ１と長側壁２ｂの外面に配設されたカード差し取付部材Ｕ１とを配置する。また、長側壁２ｂの外面に、カード落下防止用水平リブｕ３が形成されている場合には、隣り合うカード落下防止用水平リブｕ３間に形成された間隙Ｇ１に、カード差し部材Ｃ１の帯状板部ｃ１が挿入されるように、カード差し部材Ｃ１を配置する。
【００３３】
次いで、カード差し部材Ｃ１の帯状板部ｃ１に穿設された透孔ｃ３付近を、長側壁２ｂの外面方向に押して、帯状板部ｃ１を弾性的に湾曲変形させて、図４に示されているように、カード差し部材Ｃ１の帯状板部ｃ１に穿設された透孔ｃ３付近を、長側壁２ｂの外面に当接させて、カード差し部材Ｃ１の帯状板部ｃ１に穿設された透孔ｃ３の略上半分に、カード差し取付部材Ｕ１の係止フックｕ１を挿入させる。次いで、カード差し部材Ｃ１の帯状板部ｃ１に穿設された透孔ｃ３付近が、長側壁２ｂの外面に当接された状態のまま、カード差し部材Ｃ１を、上方に移動させることにより、カード差し部材Ｃ１の透孔ｃ３の下方に位置する帯状板部ｃ１部分を、長側壁２ｂに係止フックｕ１を配設することにより形成された嵌合凹部ｕ１ｃに挿入する。このように、カード差し部材Ｃ１の透孔ｃ３の下方に位置する帯状板部ｃ１部分が、カード差し取付部材Ｕ１の嵌合凹部ｕ１ｃに挿入された際には、カード差し取付部材Ｕ１の係止突起ｕ２に当接しているカード差し部材Ｃ１の側部突起ｃ２が、カード差し取付部材Ｕ１の係止突起ｕ２から外れて、弾性変形されていたカード差し部材Ｃ１の帯状板部ｃ１が、その弾性力により元の略平坦な板状に戻る。このように、カード差し部材Ｃ１の帯状板部ｃ１が、元の略平坦な板状に戻ることにより、カード差し取付部材Ｕ１の係止突起ｕ２の上面ｕ２ａとカード差し部材Ｃ１の側部突起ｃ２の下面ｃ２ａとが接触、或いは、カード差し取付部材Ｕ１の係止突起ｕ２の上面ｕ２ａとカード差し部材Ｃ１の側部突起ｃ２の下面ｃ２ａとが接近して対向するとともに、カード差し部材Ｃ１の帯状板部ｃ１の側部突起ｃ２より下の部分が、カード差し取付部材Ｕ１の一対の係止突起ｕ２間に挿入されることになる。このようにして、図５及び図６に示されているように、一対のカード差し部材Ｃ１が、長側壁２ｂに配設された一対のカード差し取付部材Ｕ１に、それぞれ取り付けられることになる。なお、長側壁２ｂの外面に、カード落下防止用水平リブｕ３が形成されている場合には、カード差し部材Ｃ１の側部突起ｃ２は、カード差し取付部材Ｕ１の係止突起ｕ２とカード落下防止用水平リブｕ３との間に形成された間隙Ｇ２に挿入されるように構成されている。
【００３４】
上述したようにして、カード差し部材Ｃ１が、長側壁２ｂに配設されたカード差し取付部材Ｕ１に取り付けられた状態においては、外力により、カード差し部材Ｃ１が水平方向に移動しようとしても、カード差し部材Ｃ１の透孔ｃ３に、カード差し取付部材Ｕ１の係止フックｕ１が挿入されているとともに、カード差し部材Ｃ１の帯状板部ｃ１の側部突起ｃ２より下の部分が、カード差し取付部材Ｕ１の一対の係止突起ｕ２間に挿入されているので、カード差し部材Ｃ１の水平移動が制限されることになる。
【００３５】
また、外力により、カード差し部材Ｃ１が下方に移動しようとしても、カード差し取付部材Ｕ１の係止突起ｕ２の上面ｕ２ａとカード差し部材Ｃ１の側部突起ｃ２の下面ｃ２ａとが接触、或いは、カード差し取付部材Ｕ１の係止突起ｕ２の上面ｕ２ａとカード差し部材Ｃ１の側部突起ｃ２の下面ｃ２ａとが接近して対向しているので、カード差し部材Ｃ１の下方への移動が制限されることになる。
【００３６】
更に、外力により、カード差し部材Ｃ１が上方に移動しようとしても、カード差し部材Ｃ１の透孔ｃ３の下方に位置する帯状板部ｃ１部分が、長側壁２ｂに係止フックｕ１を配設することにより形成された嵌合凹部ｕ１ｃに挿入されており、透孔ｃ３を形成する下辺ｃ３ａが、係止フックｕ１の水平部ｕ１ａに当接、或いは、接近して位置しているので、カード差し部材Ｃ１の上方への移動が制限されることになる。
【００３７】
更にまた、外力により、カード差し部材Ｃ１が、長側壁２ｂから離反しようとしても、カード差し部材Ｃ１の透孔ｃ３の下方に位置する帯状板部ｃ１部分が、長側壁２ｂに係止フックｕ１を配設することにより形成された嵌合凹部ｕ１ｃに挿入されており、カード差し部材Ｃ１の透孔ｃ３の下方に位置する帯状板部ｃ１部分が、係止フックｕ１の垂直部ｕ１ｂに当接、或いは、接近して位置しているので、カード差し部材Ｃ１が、長側壁２ｂから離反するようなことが防止されることになる。
【００３８】
上述したように、カード差し部材Ｃ１が、長側壁２ｂに配設されたカード差し取付部材Ｕ１に取り付けられた状態においては、カード差し部材Ｃ１の上下方向の移動、左右方向の移動及び長側壁２ｂからの離反が制限されることになり、従って、カード差し部材Ｃ１が大きく移動するようなことがなく、確実に、カードＫを保持することができる。
【００３９】
また、長側壁２ｂの外面に、カード落下防止用水平リブｕ３が形成されている場合には、カード差し部材Ｃ１の側部突起ｃ２が、カード差し取付部材Ｕ１の係止突起ｕ２とカード落下防止用水平リブｕ３との間に形成された間隙Ｇ２に挿入されるように構成されているので、外力により、カード差し部材Ｃ１が上下方向に移動しようとしても、カード差し部材Ｃ１の上下方向の移動が制限されるとともに、カード差し部材Ｃ１の帯状板部ｃ１が、隣り合うカード落下防止用水平リブｕ３間に形成された間隙Ｇ１に挿入されるように構成されているので、外力により、カード差し部材Ｃ１が左右方向に移動しようとしても、カード差し部材Ｃ１の左右方向への移動が制限されることになる。従って、カード差し部材Ｃ１の移動が制限され、大きくカード差し部材Ｃ１が動くようなことを、より確実に防止することができる。
【００４０】
上述したようにして、長側壁２ｂの外面に配設された一対のカード差し取付部材Ｕ１に取り付けられた一対のカード差し部材Ｃ１に、カードＫを取り付けるには、長側壁２ｂの外面とカード差し部材Ｃ１を構成する帯状板部ｃ１の傾斜部ｃ１ｂとの間に形成された楔状間隙Ｇ３に、カードＫの下端部を挿入し、次いで、カードＫを下降させることにより、長側壁２ｂの外面とカード差し部材Ｃ１を構成する帯状板部ｃ１との間に、カードＫを挟持するように構成されている。また、カードＫの下端を、カード差し取付部材Ｕ１を構成する係止フックｕ１の水平部ｕ１ａの上面に当接させることにより、カードＫが下方に移動するようなことがなく、従って、カードＫを、安定した状態で保持することができる。
【００４１】
また、長側壁２ｂの外面に、カード落下防止用水平リブｕ３を形成した場合には、カードＫが、横方向に移動し、カードＫが、一方のカード差し部材Ｃ１の帯状板部ｃ１から外れた場合でも、帯状板部ｃ１から外れたカードＫの下端は、一対のカード差し部材Ｃ１間に位置するカード落下防止用水平リブｕ３に当接するので、カードＫが傾斜したり、カード差し部材Ｃ１から外れたりするようなことを防止することができる。
【００４２】
なお、図１及び図６において、５は、カード差し部材Ｃ１が取り付けられる長側壁２ｂと相対する長側壁２ａの内壁面に形成されたカード差し用凹部であり、このようなカード差し用凹部５を形成することにより、容器Ｔがネスティングされた際に、上に位置する容器Ｔに保持されているカード差し部材Ｃ１が、下に位置する容器Ｔのカード差し用凹部５に、その一部が挿入されるので、容器Ｔをネスティングする際に、上に位置する容器Ｔに保持されているカード差し部材Ｃ１が、下に位置する容器Ｔの長側壁２ａやフランジ３に当接し、カード差し部材Ｃ１が、ネスティングの障害になるようなことがない。
【００４３】
上述したように、カード差し部材Ｃ１を構成する帯状板部ｃ１の下端部が、長側壁２ｂに配設されたカード差し取付部材Ｕ１により、その移動が制限されるように取り付けられているので、容器Ｔのネスティング作業の際に、上に位置する容器Ｔのカード差し部材Ｃ１の下端部が、下に位置する容器Ｔに当接し、カード差し部材Ｃ１が捲くれ上がり、ネスティングができなくなったり、また、カード差し部材Ｃ１が損傷するというようなことを防止することができる。
【００４４】
図７及び図８には、上述した一対のカード差し部材Ｃ１の帯状板部ｃ１が、その略中間部において、略水平な板状の連結帯ｃ５で連結されているカード差し部材Ｃ２が示されている。帯状板部ｃ１が、連結帯ｃ５で連結されている以外は、上述したカード差し部材Ｃ１と同じであるので、長側壁２ｂに配設されたカード差し取付部材Ｕ１へのカード差し部材Ｃ２の取り付け等の詳細な説明は省略する。
【００４５】
上述したように、一対の帯状板部ｃ１を、連結帯ｃ５で連結することにより、長側壁２ｂに配設されたカード差し取付部材Ｕ１により、長側壁２ｂに取り付けられたカード差し部材Ｃ２により保持されたカードＫが、左右方向に移動しても、カード差し部材Ｃ２から外れるようなことを防止することができる。
【００４６】
また、一対の帯状板部ｃ１が、連結帯ｃ５により連結されているので、一方の帯状板部ｃ１を、長側壁２ｂに配設された一方のカード差し取付部材Ｕ１に位置決めすることにより、もう一方の帯状板部ｃ１も、長側壁２ｂに配設されたもう一方のカード差し取付部材Ｕ１に位置決めすることができるので、カード差し部材Ｃ２の長側壁２ｂに配設されたカード差し取付部材Ｕ１への取り付け作業が容易になる。
【００４７】
次に、図９〜図１３を用いて、本発明の別の実施例について説明する。
【００４８】
図１２において、１ａは、容器Ｔの底部１の裏面に形成された公知の嵌合部であり、容器Ｔをスタッキングさせた際に、上に位置する容器Ｔの底部１に形成された嵌合部１ａが、下に位置する容器Ｔの開口部に嵌合されるように構成されている。嵌合部１ａは、公知のように、長側壁２ａ、２ｂに略平行で、且つ、底部１の裏面に垂設された複数のリブ１ａ１と、短側壁２ｃ、２ｄに略平行で、且つ、底部１の裏面に垂設された複数のリブ１ａ２とから構成されている。
【００４９】
容器Ｔの長側壁２ａ、２ｂのうち、一方の長側壁２ｂ側に位置する嵌合部１ａの外側リブ１ａ１’には、底部１の裏面と略平行な水平板ｕ４が形成されており、水平板ｕ４は、長側壁２ｂの外面に形成された支脚ｈ１、ｈ２の寄せ突起ｈ１’、ｈ２’を越えて、外側に突出しないように構成されている。また、水平板ｕ４の上面には、長側壁２ｂに対して略垂直な側部リブｕ５が、所定の間隔を置いて、一対、立設されており、側部リブｕ５の上面は、底部１の裏面に連結されている。更に、水平板ｕ４には、係止透孔ｕ６が穿設されている。上記の水平板ｕ４と一対の側部リブｕ５とにより、後述するカード差し部材Ｃ３を取り付けるためのカード差し取付部材Ｕ２が形成されている。このようなカード差し取付部材Ｕ２は、所定の間隔を置いて、複数、形成されている。なお、本実施例には、２個のカード差し取付部材Ｕ２が形成されている例が示されている。
【００５０】
上述したようなカード差し取付部材Ｕ２を配設することにより、底部１の裏面と嵌合部１ａの外側リブ１ａ１’とカード差し取付部材Ｕ２を構成する水平板ｕ４及び一対の側部リブｕ５とにより、側方が開放された嵌合凹部ｕ７が形成されている。
【００５１】
図１１及び図１２に示されているように、カード差し部材Ｃ３は、上述した容器Ｔ側に形成された嵌合凹部ｕ７に嵌合される水平状の嵌合部ｃ６と、嵌合部ｃ６の先端から略垂直に上方に延在する弾性変形可能な帯状板部ｃ７とから構成されており、帯状板部ｃ７の上端部には、傾斜部ｃ７ａが形成されている。また、嵌合部ｃ６の下面には、上述したカード差し取付部材Ｕ２を構成する水平板ｕ４に穿設された係止透孔ｕ６に嵌合される嵌合突部ｃ８が垂設されている。
【００５２】
カード差し部材Ｃ３の嵌合部ｃ６を、上述した容器Ｔ側に形成された嵌合凹部ｕ７に嵌合するとともに、カード差し取付部材Ｕ２を構成する水平板ｕ４に穿設された係止透孔ｕ６に、カード差し部材Ｃ３の嵌合部ｃ６の下面に垂設された嵌合突部ｃ８を嵌合させることにより、図９及び図１３に示されているように、カード差し部材Ｃ３を、容器Ｔの長側壁２ｂに取り付けることができるように構成されている。なお、カード差し部材Ｃ３が、容器Ｔの長側壁２ｂに配設されたカード差し取付部材Ｕ２に取り付けられた際には、カード差し部材Ｃ３が、長側壁２ｂの外面に形成された支脚ｈ１、支脚ｈ２の寄せ突起ｈ１’、ｈ２’を越えて、外側に突出しないように構成されている。
【００５３】
上述したようにして、長側壁２ｂの外面に配設された一対のカード差し部材Ｃ３に、カードＫを取り付けるには、長側壁２ｂの外面とカード差し部材Ｃ３を構成する帯状板部ｃ７の傾斜部ｃ７ａとの間に形成された楔状間隙に、カードＫの下端部を挿入し、次いで、カードＫを下降させることにより、長側壁２ｂの外面とカード差し部材Ｃ３を構成する帯状板部ｃ７との間に、カードＫを挟持するように構成されている。
【００５４】
なお、上述したカード差し部材Ｃ３やカード差し取付部材Ｕ２以外の構成については、上述した実施例と同じであるので、その詳細な説明は省略する。
【００５５】
上述したように、カード差し部材Ｃ３を構成する帯状板部ｃ７の下端に形成された嵌合部ｃ６が、容器Ｔ側に形成された嵌合凹部ｕ７に嵌合されるように構成されているので、容器Ｔがネスティングされる場合に、上に位置する容器Ｔのカード差し部材Ｃ３の下端部が、下に位置する容器Ｔに当接し、カード差し部材Ｃ３が捲くれ上がり、ネスティングができなくなったり、また、カード差し部材Ｃ３が損傷するというようなことを防止することができる。
【図面の簡単な説明】
【００５６】
【図１】図１は、カード差し部材が配設されていない状態の一例としての本発明の運搬用容器の斜視図である。
【図２】図２は、図１の運搬用容器の平面図である。
【図３】図３は、本発明の運搬用容器とカード差し部材の部分分解斜視図である。
【図４】図４は、カード差し部材が配設された状態の本発明の運搬用容器の部分斜視図である。
【図５】図５は、同じく、カード差し部材が配設された状態の本発明の運搬用容器の部分斜視図である。
【図６】図６は、本発明の運搬用容器の斜視図である。
【図７】図７は、本発明の運搬用容器に取り付けられるカード差し部材の別の実施例の斜視図である。
【図８】図８は、図７に示されているカード差し部材が配設された状態の本発明の運搬用容器の斜視図である。
【図９】図９は、更に別のカード差し部材が配設された状態の本発明の運搬用容器の斜視図である。
【図１０】図１０は、図９に示されている本発明の運搬用容器の部分斜視図である。
【図１１】図１１は、図９に示されているカード差し部材の斜視図である。
【図１２】図１２は、図９に示されているカード差し部材と本発明の運搬用容器との部分分解側断面図である。
【図１３】図１３は、図９に示されている本発明の運搬用容器のカード差し部材部分の部分側断面図である。
【符号の説明】
【００５７】
Ｃ１〜Ｃ３・・・・・・・・カード差し部材
Ｓ１・・・・・・・・・・・幅広ポケット・支脚部
Ｓ２・・・・・・・・・・・幅広支脚・ポケット部
Ｔ・・・・・・・・・・・・運搬用容器
Ｕ１、Ｕ２・・・・・・・・カード差し取付部材
ｈ１、ｈ２、ｈ３・・・・・支脚
ｐ１、ｐ２、ｐ３・・・・・ポケット
１・・・・・・・・・・・・底部
２ａ、２ｂ・・・・・・・・長側壁
２ｃ、２ｄ・・・・・・・・短側壁
３・・・・・・・・・・・・フランジ
【図１】
2006111298.tif 000003
【図２】
2006111298.tif 000004
【図３】
2006111298.tif 000005
【図４】
2006111298.tif 000006
【図５】
2006111298.tif 000007
【図６】
2006111298.tif 000008
【図７】
2006111298.tif 000009
【図８】
2006111298.tif 000010
【図９】
2006111298.tif 000011
【図１０】
2006111298.tif 000012
【図１１】
2006111298.tif 000013
【図１２】
2006111298.tif 000014
【図１３】
2006111298.tif 000015